(57)【要約】【課題】    便器の使用と連動し、多種多様なハードウエア、ソフトウエアに対して柔軟に対応でき、低コストに設置でき、理想的な快適空間の実現が可能なトイレ用コントロールユニット及びこれを搭載したシステムトイレを提供することを目的とする。【解決手段】    温水洗浄便座装置に接続可能なトイレ用コントロールユニットであって、前記温水洗浄便座装置のコントローラとの間で第１のプロトコルによる通信が可能とされ、且つ、前記トイレ用コントロールユニットに接続されたサブユニットとの間で前記第１のプロトコルとは異なる第２のプロトコルによる通信が可能とされたことを特徴とするトイレ用コントロールユニットを提供する。【選択図】    図１
2005097898.tif 000002
【特許請求の範囲】
【請求項１】
温水洗浄便座装置に接続可能なトイレ用コントロールユニットであって、
前記温水洗浄便座装置のコントローラとの間で第１のプロトコルによる通信が可能とされ、且つ、前記トイレ用コントロールユニットに接続されたサブユニットとの間で前記第１のプロトコルとは異なる第２のプロトコルによる通信が可能とされたことを特徴とするトイレ用コントロールユニット。
【請求項２】
ＣＰＵと、
通信用インタフェースと、
を備え、
前記通信用インタフェースを介して、温水洗浄便座装置のコントローラとの間で第１のプロトコルに基づく通信が可能であり、且つ、前記コントローラとは異なるサブユニットとの間で前記第１のプロトコルとは異なる第２のプロトコルに基づく通信が可能とされたことを特徴とするトイレ用コントロールユニット。
【請求項３】
前記温水洗浄便座装置のコントローラから前記第１のプロトコルに基づいて送信された情報に基づいて、前記サブユニットの動作を制御することを特徴とする請求項１または２に記載のトイレ用コントロールユニット。
【請求項４】
センサ及び入力装置の少なくともいずれかが接続可能とされ、
前記センサの検知情報及び前記入力装置に入力された情報の少なくともいずれかを前記第１のプロトコルに基づいて前記温水洗浄便座装置のコントローラに送信することを特徴とする請求項１〜３のいずれか１つに記載のトイレ用コントロールユニット。
【請求項５】
センサ及び入力装置の少なくともいずれかが接続可能とされ、
前記センサの検知情報及び前記入力装置に入力された情報の少なくともいずれかに基づいて前記サブユニットの動作を制御することを特徴とする請求項１または２に記載のトイレ用コントロールユニット。
【請求項６】
第１のセンサが接続可能とされ、
前記第１のセンサの検知情報と、前記前記温水洗浄便座装置のコントローラから前記第１のプロトコルに基づいて送信された第２のセンサの検知情報と、に基づいて前記サブユニットの動作を制御することを特徴とする請求項１または２に記載のトイレ用コントロールユニット。
【請求項７】
前記サブユニットは、ＣＰＵを有することを特徴とする請求項１〜６のいずれか１つに記載のトイレ用コントロールユニット。
【請求項８】
第２のサブユニットが接続可能とされ、前記第２のサブユニットとの間で、前記第２のプロトコルとは異なる第３のプロトコルに基づく通信が可能とされたことを特徴とする請求項１〜７のいずれか１つに記載のトイレ用コントロールユニット。
【請求項９】
照明装置が接続可能とされ、前記照明を発光させるための電源をさらに備えたことを特徴とする請求項１〜８のいずれか１つに記載のトイレ用コントロールユニット。
【請求項１０】
音声データが格納されたメモリをさらに備えたことを特徴とする請求項１〜９のいずれか１つに記載のトイレ用コントロールユニット。
【請求項１１】
スピーカーを接続することにより音声を再生可能とするオーディオアンプをさらに備えたことを特徴とする請求項１〜１０のいずれか１つに記載のトイレ用コントロールユニット。
【請求項１２】
接続されたセンサ及び前記温水洗浄便座装置のコントローラの少なくともいずれかから与えられる情報に基づいて複数の前記スピーカーに対する出力を切り替え可能としたことを特徴とする請求項１１記載のトイレ用コントロールユニット。
【請求項１３】
温水洗浄便座装置と、
前記温水洗浄便座装置のコントローラに接続された請求項１〜１２のいずれか１つに記載のトイレ用コントロールユニットと、
を備えたことを特徴とするシステムトイレ。
【請求項１４】
使用者が接近すると前記温水洗浄便座装置が有するセンサ及び前記トイレ用コントロールユニットに接続されたセンサの少なくともいずれかにより検知し、前記サブユニットによって音楽の再生が開始されることを特徴とする請求項１３記載のシステムトイレ。
【請求項１５】
使用者が接近すると前記温水洗浄便座装置が有するセンサ及び前記トイレ用コントロールユニットに接続されたセンサの少なくともいずれかにより検知し、前記トイレ用コントロールユニットに接続された照明装置が点灯することを特徴とする請求項１３記載のシステムトイレ。
【発明の詳細な説明】
【技術分野】
【０００１】
本発明は、トイレ用コントロールユニット及びシステムトイレに関し、より具体的には、温水洗浄便座装置と連携して各種の機器を制御可能としたトイレ用コントロールユニット及びこれを備えたシステムトイレに関する。
【背景技術】
【０００２】
人間の生活にとって、トイレは切り離すことができない存在であり、日常生活において大きな位置づけを有する。便器の形式が、いわゆる「和式」から「西洋式」に移り変わり、「水洗式」が導入され、「暖房式便座」や「温水洗浄便座装置」などの革新的な機構が付加されるに伴って、利便性や快適性が向上してきた。
【０００３】
さらに昨今、擬音などを発生させることにより、トイレの使用時や洗浄時に発生する音が外部に漏れることを防ぎ、「音消し」の効果を得るアイディアが開示されている。
【０００４】
例えば、特許文献１には、トイレのドアを自動開閉可能とし、これと連動して照明とともに音響発生器を動作させるトイレ自動化システムが開示されている。  
また、特許文献２には、外部より音声データを入力可能な入力手段と、この音声データを出力可能な出力手段と、を有する便器装置が開示されている。  
一方、特許文献３には、便座のスイッチに連動してラジオを鳴らす衛生洗浄装置が開示されている。
【特許文献１】特開平８−２２８９６５号公報
【特許文献２】特開２００３−３５５０号公報
【特許文献３】特開昭６０−４３５４１号公報
【発明の開示】
【発明が解決しようとする課題】
【０００５】
本発明者は、トイレは、ただ単に用を足すためだけの空間ではなく、快適で心地よく、生活に潤いを与え、癒しの効果も得られる空間となるべきと考えている。例えば、家事や育児に勤しむ主婦や会社から疲れて帰ってきた主人などにとっては、彼（彼女）を暖かく迎え入れ、リラックスさせ、疲れを癒し、リフレッシュさせる空間が必要である。この意味では、トイレは、浴室と同様に、他人の干渉を受けることなく一人でリラックスできる最適の空間であるといえる。
【０００６】
しかしながら、このような発想に基づいて理想的な快適空間となるトイレを実現しようとした時、技術的ないくつかのブレイクスルーが存在する。まず第一に、快適性や癒し効果を与える各種の機能は、トイレの基本機能である便器の使用や洗浄動作とシームレスに連動することが必要である。また、便器などを新設することなく、できるだけ既設のトイレに対しても付加的に設置可能であり、しかも低コストであることが望ましい。またさらに、今後登場することが予想される多種多様なハードウエア、ソフトウエアに対応でき、これらを随時追加できる柔軟性を有することが望ましい。
【０００７】
これらの要求に対して、従来の技術は、いずれも満足な解を与えるものではなかった。
【０００８】
本発明は、かかる課題の認識に基づいてなされたものであり、その目的は、便器の使用と連動し、多種多様なハードウエア、ソフトウエアに対して柔軟に対応でき、低コストに設置でき、理想的な快適空間の実現が可能なトイレ用コントロールユニット及びこれを搭載したシステムトイレに関する。
【課題を解決するための手段】
【０００９】
上記課題を解決するために、本発明によれば、温水洗浄便座装置に接続可能なトイレ用コントロールユニットであって、前記温水洗浄便座装置のコントローラとの間で第１のプロトコルによる通信が可能とされ、且つ、前記トイレ用コントロールユニットに接続されたサブユニットとの間で前記第１のプロトコルとは異なる第２のプロトコルによる通信が可能とされたことを特徴とするトイレ用コントロールユニットが提供される。
【００１０】
上記構成によれば、異なる通信プロトコルを有するサブユニットを接続して温水洗浄便座装置の動作と連携させて動作させることが可能となる。その結果として、多種多様なサブユニットが接続可能となり、温水洗浄便座装置のコントローラに負担をかける問題も解消できる。
【００１１】
または、本発明によれば、ＣＰＵと、通信用インタフェースと、を備え、前記通信用インタフェースを介して、温水洗浄便座装置のコントローラとの間で第１のプロトコルに基づく通信が可能であり、且つ、前記コントローラとは異なるサブユニットとの間で前記第１のプロトコルとは異なる第２のプロトコルに基づく通信が可能とされたことを特徴とするトイレ用コントロールユニットが提供される。
【００１２】
上記構成によれば、異なる通信プロトコルを有するサブユニットを接続して温水洗浄便座装置の動作と連携させて動作させることが可能となる。そして、ＣＰＵにより温水洗浄便座装置のコントローラからの命令を翻訳してサブユニットの動作を制御することも可能となる。その結果として、多種多様なサブユニットが接続可能となり、温水洗浄便座装置のコントローラに負担をかける問題も解消できる。
【００１３】
ここで、前記温水洗浄便座装置のコントローラから前記第１のプロトコルに基づいて送信された情報に基づいて、前記サブユニットの動作を制御するものとすれば、温水洗浄便座装置のコントローラからの命令やセンサの検出結果によりサブユニットの動作を制御することができる。
【００１４】
また、センサ及び入力装置の少なくともいずれかが接続可能とされ、前記センサの検知情報及び前記入力装置に入力された情報の少なくともいずれかを前記第１のプロトコルに基づいて前記温水洗浄便座装置のコントローラに送信するものとすれば、センサ情報や、操作スイッチなどの入力装置を介して入力された情報を温水洗浄便座装置のコントローラにフィードバックできる。
【００１５】
また、センサ及び入力装置の少なくともいずれかが接続可能とされ、前記センサの検知情報及び前記入力装置に入力された情報の少なくともいずれかに基づいて前記サブユニットの動作を制御するものとすれば、センサ情報や、操作スイッチなどの入力装置を介して入力された情報に基づいて、温水洗浄便座装置のコントロールユニットの判断によらず、トイレ用コントロールユニットの独自の判断によりサブユニットの動作を制御することが可能となり、温水洗浄便座装置のコントロールユニットの負担が軽減すると同時に、さらに複雑なシステムを確実に制御することが容易となる。
【００１６】
また、第１のセンサが接続可能とされ、前記第１のセンサの検知情報と、前記前記温水洗浄便座装置のコントローラから前記第１のプロトコルに基づいて送信された第２のセンサの検知情報と、に基づいて前記サブユニットの動作を制御するものとできる。例えば、温水洗浄便座装置に設けられた着座センサや人体検知センサや人体検知センサなどの検知情報と、トイレ用コントロールユニットに接続された入室検知センサの検知情報と、を組み合わせて使用者の有無や使用状態を総合的に判断し、それにあわせて各種のサブユニットの動作を制御することができる。
【００１７】
また、前記サブユニットは、ＣＰＵを有するものとすれば、第１のプロトコルと第２のプロトコルとの間の翻訳処理や、サブユニットを制御するための判断の処理を確実且つ容易に実行させることができる。
【００１８】
また、第２のサブユニットが接続可能とされ、前記第２のサブユニットとの間で、前記第２のプロトコルとは異なる第３のプロトコルに基づく通信が可能とすれば、プロトコルが異なる複数のサブユニットを接続して制御することが可能となる。
【００１９】
また、照明装置が接続可能とされ、前記照明を発光させるための電源をさらに備えたものとすれば、例えば、使用者を検知して自動的に間接照明を点灯させることができる。
【００２０】
また、音声データが格納されたメモリをさらに備えたものとすれば、例えば、温水洗浄便座装置の操作に際して、音声ガイドなどを流すことができる。
【００２１】
また、スピーカーを接続することにより音声を再生可能とするオーディオアンプをさらに備えたものとすれば、音楽や音声ガイドあるいは効果音などを流すことが容易となる。
【００２２】
またさらに、接続されたセンサ及び前記温水洗浄便座装置のコントローラの少なくともいずれかから与えられる情報に基づいて複数の前記スピーカーに対する出力を切り替え可能とすれば、ステレオ再生やサラウンド再生などに際して使用者の向きに応じて常に最適な音場を提供することが可能となる。
【００２３】
一方、本発明のシステムトイレは、温水洗浄便座装置と、前記温水洗浄便座装置のコントローラに接続された上述のいずれかのトイレ用コントロールユニットと、を備えたことを特徴とする。上記構成によれば、通信プロトコルが異なる各種のサブユニットを接続して制御することができ、温水洗浄便座装置のコントローラに負担をかけることなく、音楽再生、音声ガイド、照明などを自動的に実行させることができる。
【００２４】
例えば、使用者が接近すると前記温水洗浄便座装置が有するセンサ及び前記トイレ用コントロールユニットに接続されたセンサの少なくともいずれかにより検知し、前記サブユニットによって音楽の再生が開始されるようにできる。
【００２５】
また、使用者が接近すると前記温水洗浄便座装置が有するセンサ及び前記トイレ用コントロールユニットに接続されたセンサの少なくともいずれかにより検知し、前記トイレ用コントロールユニットに接続された照明装置が点灯するようにできる。
【発明の効果】
【００２６】
本発明によれば、温水洗浄便座装置の動作と連動させ、または独立して、各種のサブユニットを制御可能とし、さらに多種多様なハードウエア、ソフトウエアに対して柔軟に対応でき、低コストに設置でき、理想的な快適空間の実現が可能なトイレ用コントロールユニット及びこれを搭載したシステムトイレを実現することができ、産業上のメリットは多大である。
【発明を実施するための最良の形態】
【００２７】
以下、図面を参照しつつ本発明の実施の形態について説明する。
【００２８】
本発明者は、現在既に広く普及している温水洗浄便座装置に接続し、これと連動可能なトイレ用コントロールユニットを発明した。このコントロールユニットは、ＣＤ（Compact Disc）プレイヤーをはじめとする各種の音響発生装置、照明装置、センサ、空調装置、テレビなどの映像機器などを制御可能としている。さらには、インターネットに接続可能なデータ送受信装置や、ユビキタス（ubiquitous）受信装置などを制御し、これらを介したデータの授受も可能とするものである。
【００２９】
図１は、本発明のトイレ用コントロールユニットを備えたシステムトイレの構成を例示するブロック図である。  
また、図２は、このようなシステムトイレの具体例を表す模式図である。
【００３０】
以下、図１及び図２を参照しつつ説明すると、トイレ用コントロールユニット（Entertainment Control Center：ＥＣＣ）１００は、温水洗浄便座装置２００のコントローラ２０２に接続されている。そして、トイレ用コントロールユニット１００には、複数のサブユニット３００やサブユニット４００が接続可能とされている。
【００３１】
温水洗浄便座装置２００は、使用者が便座に座った状態で温水を噴射させ、「おしり」などを洗浄することができる装置であり、商標名「ウォシュレット」などとして普及しているものである。そのコントローラ２０２は、ＣＰＵ（Central Processing Unit：中央演算処理装置）２０４を備え、着座センサ２０６などの各種センサからの入力に基づいて、便座ヒータやモータの制御、操作スイッチの入力監視、表示用ＬＥＤ（Light Emitting Diode）の点滅などを制御する。
【００３２】
一方、本発明のトイレ用コントロールユニット１００は、独自にＣＰＵ１０２を備え、温水洗浄便座装置２００のＣＰＵ２０４との間で、所定のプロトコルに基づいて双方向または単方向の通信（通信１）が可能とされている。そして、トイレ用コントロールユニット１００は、温水洗浄便座装置のコントローラ２０２からの命令をサブユニットに伝えたり、各種のセンサ情報を入手してコントローラ２０２に送信したりする。また、プロセスの内容によっては、トイレ用コントロールユニット１００が独自に判断して、サブユニットの動作を制御することも可能である。
【００３３】
一方、サブユニット３００は、独自のＣＰＵ３０２を備え、トイレ用コントロールユニット１００のＣＰＵとの間で、所定のプロトコルに基づく通信が可能とされている。そして、この通信に基づき、トイレ用コントロールユニット１００からの命令に従って動作する。さらに、サブユニット３００自体に設けられたセンサなどからの情報に基づいて独自に動作することも可能である。サブユニット３００が得た様々な情報（例えば、ＣＤの動作状態や、サーミスタ入力データなど）は、サブユニット３００のＣＰＵ３０２が一旦受け止め、解釈し、デジタルデータとして所定のプロトコルに基づき、トイレ用コントロールユニット１００のＣＰＵ１０２に送信される。
【００３４】
このようにサブユニット３００のＣＰＵ３０２が情報を解釈し、ＣＰＵ１０２に情報を適宜送信することにより、ＣＰＵ１０２の負担が軽減される。例えば、ＣＰＵ３０２にサーミスタが接続されている場合、サーミスタからの出力信号にデジタルフィルタ処理を施すことにより、ＣＰＵ１０２はフィルタ処理後のデータのみを受け取るので、処理が楽になる。また、サブユニット３００のＣＰＵ３０２を、このようなデジタルフィルタ処理とＣＰＵ１０２との通信のみに限定して動作させることも可能である。
【００３５】
サブユニット３００の具体例としては、例えば、ＣＤ（Compact Disc）プレイヤー、便座の蓋の自動開閉ユニット、室暖制御基板、擬音発生装置、消臭装置、暖房装置、香り放出装置、テレビ、インターネット接続可能な端末装置などを挙げることができる。
【００３６】
複数のサブユニット３００をトイレ用コントロールユニット１００に接続する場合、それらの通信（例えば、通信２、通信３・・など）のプロトコルは同一である必要はない。例えば、サブユニット３００毎に、トイレ用コントロールユニット１００との間で異なるプロトコルに基づく通信を実行することが可能である。
【００３７】
一方、サブユニット４００は、独自のＣＰＵを備えず、トイレ用コントロールユニット１００に情報を提供したり、トイレ用コントロールユニット１００からの命令に基づいて動作する。つまり、サブユニット４００は、トイレ用コントロールユニットのＣＰＵ１０２との間で所定のプロトコルに基づく通信は実行せず、例えば、所定の範囲の電圧や電流を発生したり、抵抗変化を与える。
【００３８】
サブユニット４００の具体例としては、例えば、入力系としては、サーミスタ、ホール素子、ＣｄＳ（硫化カドミウム）などの照度感知センサをはじめとする各種のセンサや、スイッチなどを挙げることができる。また、サブユニット４００の具体例として、出力系としては、例えば、ＬＥＤや電球などの照明ユニット、スピーカー、ヒータユニット、モータやアクチュエータなどを用いた駆動ユニット、使用者が所定の入力操作を行うスイッチなどが配置された操作パネル、あるいはこれらを組み合わせた消臭装置、暖房装置、香り発生装置、換気装置などを挙げることができる。
【００３９】
複数のサブユニット４００をトイレ用コントロールユニット１００に接続する場合、それらの接続仕様は同一である必要はない。例えば、サブユニット４００毎に、トイレ用コントロールユニット１００との間で異なる仕様で接続することが可能である。
【００４０】
図２に表した具体例について説明すると、トイレ用コントロールユニット１００は、音声ＲＯＭ（Read Only Memory）１１４、アンプ１１６、ＬＥＤドライバ１１８などを適宜備える。そして、トイレ用コントロールユニット１００には、サブユニットとして音響ユニット３００や表示ユニット４００が接続されている。これらは、同図に例示したように、センターユニット５００を構成するようにしてもよい。  
音響ユニット３００は、図１に表したサブユニット３００に対応し、ＣＰＵ３０２と、ＣＤ（Compact Disc）再生ユニット３０４と、アンプ３０６とを有し、トイレ用コントロールユニット１００からの命令に従ってＣＤの再生が可能とされている。
【００４１】
一方、操作・表示ユニット４００は、図１に表したサブユニット４００に対応し、例えばセンサ部４０２と、表示部４０４と、操作部４０６と、を有する。センサ部４０２には、例えば、入室センサやリモコン用センサなどが設けられている。表示部４０４は、ＣＤやその他の各種メディアを再生する際のトラック情報やその他の各種の情報を表示する。操作部４０６は、オーディオなどの再生操作やその他の各種の設定の入力・変更を可能とする。
【００４２】
図３は、センターユニット５００の外観を例示する模式図である。すなわち、同図に表した具体例の場合、トイレ用コントロールユニット１００は、その内部に収容されている。そして、センターユニット５００のパネルには、入室センサやリモコンセンサなどの各種センサ用のセンサ窓５０２、ＣＤ（Compact Disc）やその他の各種メディアを再生する際のトラック番号や時間などを表示する表示部５０４、各種設定などを表示させ変更操作を可能とした操作部５０６、ＣＤなどのメディアを挿入可能なスロット５０８などが設けられている。図２に例示したように、このセンターユニット５００は、例えば、便器の後方に設置されたキャビネット９００に収容することができる。
【００４３】
またさらに、図２に例示したように、便器の後方に設けられたキャビネット９００には、間接照明ユニット６００やスピーカ７００などが適宜設けられている。これらも、図１に表したサブユニット４００に対応する。
【００４４】
以上説明したように、本発明のトイレ用コントロールユニット１００は、音響ユニット３００のようにＣＰＵを有するユニットと、操作・表示ユニット４００や間接照明ユニット６００あるいはスピーカ７００のように、ＣＰＵをもたない各種のサブユニットを制御する。そして、システムトイレにおいては、これらのサブユニット３００、４００を、温水洗浄便座装置２００と連動させ、あるいは独立させて動作させる必要がある。
【００４５】
これらサブユニット３００、４００を温水洗浄便座装置２００と連動させるためには、図４に例示したように、温水洗浄便座装置２００のコントローラ２０２にこれらサブユニットを直接、接続する方法も考えられる。すなわち、図４に例示した比較例の構成においては、サブユニット３００、４００が、温水洗浄便座装置２００のコントローラ２０２に直接・接続されている。
【００４６】
しかし、温水洗浄便座装置２００のコントローラ２０２のＣＰＵ２０４が有する通信形態（通信１）は、例えば、ＲＳ−２３２Ｃに準じた形式のみであり、その他のプロトコルに対応できないという問題がある。つまり、サブユニット３００の通信が他のプロトコルに基づく場合には接続することができず、接続できるサブユニットの種類が著しく制限されてしまう。
【００４７】
同様に、ＣＰＵを持たないサブユニット４００の接続についても、温水洗浄便座装置のコントローラ２０２が対応できる接続仕様は限られたものであり、多種多様な仕様の接続形態に柔軟に対応することは困難である。つまり、一般のマイクロコントローラが備えるＡ／Ｄ（アナログ・デジタル）ポートやＤ／Ａ（デジタル・アナログ）ポートの数は限られているので、多くのセンサなどを接続することができない。例えば、コントローラ２０２が備えるＣＰＵ２０４として、１６ビットのマイクロコントローラでＣＰＵ全体のピン数が１００ピンのものを用いた場合でも、そのうちで有効なピン数は８４である。そして、分解能を８ビットとした場合、Ａ／Ｄポートは８つ、Ｄ／Ａポートは２つしか設けられていない。つまり、ＣＰＵ２０４に接続できるサブユニット４００の数や種類は、かなり限定されたものとなってしまう。
【００４８】
また一方、温水洗浄便座装置のＣＰＵ２０４は、これら複数のサブユニットを制御する余裕が十分ではないという問題がある。
【００４９】
図５は、温水洗浄便座装置におけるコントローラ２０２の役割を説明するためのブロック図である。すなわち、温水洗浄便座装置２００において、コントローラ２０２には、各種のセンサ、モータ、ヒータ、表示装置、アラーム装置、スイッチなどが接続され、これらを統括的にモニタし制御する必要がある。このため、ＣＰＵ２０４は、極めて高い頻度の「割り込み処理」を実行する必要がある。また例えば、便座の温度を精密に制御するため、便座ヒータを正弦波の位相角制御方式により制御している。これもＣＰＵ２０４のパワーを消費する。
【００５０】
このため、ＣＰＵ２０４の処理能力には十分な余裕があるとはいえず、例えば、一般的なＣＤプレイヤーのコントローラに採用されている３８，４００ｂｐｓ（bit per second）の通信速度をさらにサポートすると、かなりの負担となる。
【００５１】
これに対して、本発明によれば、図１に例示した如く、独自のＣＰＵを備えたトイレ用コントロールユニット１００を設けることにより、多種多様な通信形態あるいは接続形態を有するサブユニット３００、４００を自由に接続でき、これらサブユニットと温水洗浄便座装置２００との連携動作を確実に実行させることができる。
【００５２】
また、温水洗浄便座装置のコントロールユニットが有するＣＰＵ２０４やトイレ用コントロールユニットのＣＰＵ１０２が有するＡ／ＤポートやＤ／Ａポートには限度があるが、サブユニット３００を接続することにより、ＣＰＵ３０２のしたにサーミスタなどの入力系やモータなどの出力系のユニットを増設することができ、システムの拡張性が大幅に向上する。つまり、温水洗浄便座装置のコントローラ２０２に負担をかけることなく、各種のサブユニット３００、４００を接続して制御することができる。また、新たなサブユニットを追加することも容易となり、柔軟な拡張性が得られる。
【００５３】
図６は、本発明のシステムトイレの構成を例示するブロック図である。  
本具体例におけるトイレ用コントロールユニット１００は、ＣＰＵ１０２、メモリ１０４、通信インタフェース（Ｉ／Ｆ）１０６、入出力（Ｉ／Ｏ）ユニット１０８、音声ＲＯＭ１１４、オーディオアンプ１１６、ＬＥＤドライバ１１８などを備える。  
通信インタフェース１０６は、温水洗浄便座装置のコントローラ２０２及びその他のＣＰＵを有するサブユニット３００との間で所定のプロトコルに基づくデータの送受信を実行する。温水洗浄便座装置のコントローラ２０２とトイレ用コントロールユニット１００との間の通信（通信１）は、例えば、「ＵＡＲＴ」と呼ばれる半二重非同期型のシリアル方式により行うことができる。また、その通信速度は、９６００ｂｐｓとすることできる。
【００５４】
一方、トイレ用コントロールユニット１００とサブユニット３００との間の通信（通信２、通信３・・）は、各種の形態を有することが可能である。以下に、通信Ｉ／Ｆ１０６がサポート可能なプロトコルの一例を挙げる。
【００５５】
【表１】
2005097898.tif 000003
【００５６】
トイレ用コントロールユニット１００は、これら全てのプロトコルに対応可能である必要はない。すなわち、トイレ用コントロールユニット１００がサポート可能なプロトコルは、接続すべきサブユニットのプロトコルに応じて適宜決定することができる。このようにして、トイレ用コントロールユニット１００はサブユニット３００と通信可能となり、また、温水洗浄便座装置のコントローラ２０２からの命令を翻訳して、これらプロトコルに基づきサブユニット３００を制御することができる。
【００５７】
一方、一般的なＣＤプレイヤーは、上記に列挙したいずれのプロトコルとも異なる独自の仕様に基づいて制御される場合が多い。このような場合にも、トイレ用コントロールユニット１００にその通信インタフェースを搭載することによりＣＤプレイヤーと通信可能となり、温水洗浄便座装置の動作と連携してＣＤプレイヤーを制御することができる。
【００５８】
一方、Ｉ／Ｏユニット１０８は、各種のセンサ、表示装置、入力装置などのサブユニット４００を接続可能としたものであり、サブユニット４００の仕様に応じた接続が可能とされている。例えば、必要に応じて、Ａ／Ｄコンバータなどが設けられている。
【００５９】
また、図６に表した具体例の場合、オーディオアンプ１１６がスピーカ７００に接続され、例えば、音声ＲＯＭ１１４に格納されている音声データを取り出して再生することが可能とされている。
【００６０】
またさらに、ＬＥＤドライバ１１８に間接照明ユニット６００が接続されている。後に詳述するように、センサ（サブユニット４００）により暗闇で人を検知すると、間接照明ユニット６００を自動的に点灯させることが可能である。
【００６１】
以下、本発明における温水洗浄便座装置のコントローラ２０２と、トイレ用コントロールユニット（ＥＣＣ）１００との間のデータ授受の関係についてさらに詳しく説明する。
【００６２】
図７は、コントローラ２０２とＥＣＣ１００との間のデータ授受の関係の第１の具体例を表す模式図である。本具体例の場合、コントローラ２０２からＥＣＣ１００へ単方向の通信が実行される。すなわち、ＥＣＣ１００は、コントローラ２０２から通信１を介して送信された命令を翻訳し、通信２を介してサブユニット３００に伝える。サブユニット３００は、その命令に従って動作する。また、同様に、ＥＣＣ１００は、コントローラ２０２からの命令を翻訳し、その内容に基づいてサブユニット４００を制御する。  
すなわち、本具体例の場合、ＥＣＣ１００は、コントローラ２０２のスレーブ（slave）として機能する。この場合には、ＥＣＣ１００は、コントローラ２０２からの命令を翻訳するのみである。コントローラ２０２は、ＥＣＣ１００やサブユニット３００、４００の存在とそれらの制御方法を知っている必要がある。
【００６３】
図８は、コントローラ２０２とＥＣＣ１００との間のデータ授受の関係の第２の具体例を表す模式図である。本具体例の場合、ＥＣＣ１００とコントローラ２０２との間では、双方向の通信が実行される。例えば、ＥＣＣ１００は、接続されているセンサ（サブユニット４００）の検知情報を通信１を介してコントローラ２０２に渡す。コントローラ２０２は、これに応じて所定の命令を通信１を介してＥＣＣ１００に送信する。ＥＣＣ１００は、この命令を翻訳し、通信２を介してサブユニット３００に伝える。サブユニット３００は、その命令に従って動作する。
【００６４】
すなわち、本具体例の場合、ＥＣＣ１００は、コントローラ２０２のスレーブとしてだけでなく、情報をフィードバックする役割も有する。この場合にも、コントローラ２０２は、ＥＣＣ１００やサブユニット３００、４００の存在とそれらの制御方法を知っている必要がある。
【００６５】
図９は、コントローラ２０２とＥＣＣ１００との間のデータ授受の関係の第３の具体例を表す模式図である。本具体例においても、ＥＣＣ１００とコントローラ２０２との間では、双方向の通信が実行される。すなわち、図８に関して前述した第２具体例と同様に、例えば、ＥＣＣ１００は、接続されているセンサ（サブユニット４００）の検知情報を通信１を介してコントローラ２０２に渡す。コントローラ２０２は、これに応じて所定の命令を通信１を介してＥＣＣ１００に送信する。ＥＣＣ１００は、この命令を翻訳し、通信２を介してサブユニット３００に伝える。サブユニット３００は、その命令に従って動作する。すなわち、本具体例の場合、ＥＣＣ１００は、コントローラ２０２のスレーブとしてだけでなく、情報をフィードバックする役割も有する。
【００６６】
そしてさらに、本具体例においては、ＥＣＣ１００は、自己の判断によりサブユニットの制御を実行可能とされている。例えば、ＥＣＣ１００は、センサ（サブユニット４００）の検出結果をトリガーとしてサブユニット３００をコントローラ２０２に関係なく動作させることが可能である。例えば、ＥＣＣ１００に接続された入室検知センサ（サブユニット４００）がトイレ内に人の進入を検知すると、ＥＣＣ１００は、コントローラ２０２からの命令によらずに、通信２を介してＣＤプレイヤー（サブユニット３００）に再生動作を命令することができる。このようにすると、コントローラ２０２は、ＥＣＣ１００やサブユニット３００、４００の存在や制御方法を知る必要がなくなるため、コントローラ２０２の負担が軽減し、システムの拡張性も大幅に拡大する。
【００６７】
またさらに、ＥＣＣ１００がコントローラ２０２に対して情報を要求することもできる。  図１０は、この具体例を表す模式図である。すなわち、本具体例においては、ＥＣＣ１００は、必要とする情報をコントローラ２０２に要求し、送信された情報に基づいてサブユニット３００（あるいは４００）を制御することも可能とされている。例えば、上述の具体例において、間接照明（サブユニット４００）を点灯させた後に、入室検知センサ（サブユニット４００）が人の存在を検知しなくなった時には、ＥＣＣ１００はコントローラ２０２に対して、着座検知センサまたは人体検知センサの検知情報の提供を求める。そして、これらセンサの少なくともいずれかが人の存在を検知している時には、間接照明（サブユニット４００）の点灯状態を維持するようにすることができる。
【００６８】
さらに、ＥＣＣ１００がコントローラ２０２の動作まで制御するようにしてもよい。
【００６９】
図１１は、この具体例を表す模式図である。すなわち、ＥＣＣ１００は、それに直接接続されたサブユニット４００（例えば、入室検知センサ）と、コントローラ２０２に接続されたセンサ（人体検知センサや着座検知センサなど）の検出結果に基づいて判断し、コントローラ２０２に命令を送信する。コントローラ２０２は、その命令に基づいて動作を実行する。
【００７０】
このようにすると、ＥＣＣ１００が温水洗浄便座装置まで統括的に制御できるので、制御の整合性が高くなる。ただし、ＥＣＣ１００のＣＰＵ１０２の負担が増大するため、システムの拡張性が低下する場合もあり得る。
【００７１】
以下、本発明のシステムトイレの構成及び動作について、実施例を参照しつつさらに詳細に説明する。
【００７２】
図１２は、本発明の第１の実施例におけるシステムトイレの動作を表す模式図である。  また、図１３は、本実施例におけるシステムトイレの構成を例示する模式図である。  
本実施例においては、まず、図１２（ａ）に表したように、使用者１０がトイレに入ると、まず、ＥＣＣ１００に接続された入室検知センサ４００が検知し、ＥＣＣ１００に検知情報を渡す。入室検知センサ４００としては、例えば、赤外線式焦電センサ（モーションセンサ）などを用いることができる。赤外線式焦電センサは、温水洗浄便座装置に設けられている人体検知センサや着座検知センサ（これらは通常、赤外線センサである）よりも検出範囲が広い。従って、使用者１０がトイレのドアを開けて室内に進入した瞬間に入室検知センサ４００によって検知することが可能である。
【００７３】
ＥＣＣは、入室検知センサ４００から情報に基づいて判断し、サブユニット（音声ガイド用ユニット）３００に命令を出して、スピーカー７００から、「ポーン」という心地よい音を鳴らす。これにより、使用者１０を音で出迎え、自動化システムトイレであることを知らせる効果が得られる。
【００７４】
次に、図１２（ｂ）に表したように、使用者１０が便座に座り、例えば、リモコン１２０を操作して便座の蓋のオート開閉モードをオンにすると、スピーカー７００から「オート開閉を設定しました」と音声ガイドが流れる。これは、図１３に表したように、リモコン１２０からの設定信号がコントローラ２０２に送信され、この情報に基づいてコントローラ２０２がＥＣＣ１００に命令を送信し、ＥＣＣ１００がこの命令を翻訳して音声ガイド用ユニット３００を動作させることにより実行することができる。
【００７５】
または、リモコン１２０からの設定信号がコントローラ２０２に送信されると、その情報がコントローラ２０２からＥＣＣ１００に送信され、ＥＣＣ１００がその情報に基づいて判断して音声ガイド用ユニット３００に命令を送信して動作させることにより実行することができる。
【００７６】
また、例えば、使用者１０がリモコン１２０のおしり洗浄スイッチを操作すると、同様の動作に基づき、スピーカー７００から「おしり洗浄を開始します」と音声ガイドを流すことができる。
【００７７】
一方、図１２（ｃ）に表したように、使用者１０が便座の前方にずれて腰掛けた状態においては、洗浄水の飛散を防止するために着座検知センサが検知しない。この状態において、使用者１０がリモコン１２０の洗浄スイッチを操作すると、スピーカー７００から「プププ」という警告音が流れる。この動作は、着座センサの検知状態とリモコン１２０の操作情報とに基づいて、コントローラ２０２が判断し、ＥＣＣ１００に命令を送信することにより実行してもよく、または、着座センサの検知状態とリモコン１２０の操作情報とがコントローラ２０２からＥＣＣ１００に送信され、ＥＣＣ１００がこれらに基づいて判断することにより、音声ガイド用ユニット３００に命令を送信することによって実行してもよい。
【００７８】
なお、使用者１０が洗浄を終了してトイレから退出する時には、温水洗浄便座装置のセンサも、ＥＣＣ１００に接続されている入室検知センサ４００も検知を終了する。この時に、例えば、「ポポーン」という音をスピーカー７００から流して使用者１０を見送るとともに、入室検知センサ４００の検出範囲外に出たことを知らせるようにしてもよい。
【００７９】
以上説明したような「音声ガイド機能」は、例えば、温水洗浄便座装置の初期設定操作の時などにも活用できる。本発明によれば、ＥＣＣ１００を介して音声ガイド用ユニットを増設できるので、多種多様な音声ガイドや各種の効果音などを制限なく導入することができ、しかもその動作に関して、温水洗浄便座のコントローラ２０２に負担をかける問題も生じない。その結果として、どのような身体状態の使用者でも平等に取り扱うことができる「ユニバーサルデザイン」のシステムトイレを実現することができる。
【００８０】
次に、本発明の第２の実施例について説明する。  
図１４は、本発明の第２の実施例におけるシステムトイレの動作を表す模式図である。  また、図１５は、本実施例におけるシステムトイレの構成を例示する模式図である。  
本実施例においては、まず、図１４（ａ）に表したように、使用者１０がトイレに入ると、まず、ＥＣＣ１００に接続された入室検知センサ４００が検知し、ＥＣＣ１００に検知情報を渡す。ＥＣＣは、この情報に基づいて判断し、サブユニット（ＣＤプレイヤー再生ユニット）３００に命令を出し、スピーカー７００からＣＤを再生する。この場合には、ＥＣＣ１００が入室検知センサ４００からの情報に基づいてサブユニット３００に命令を送信する。
【００８１】
または、図１４（ｂ）に表したように、使用者１０が入室し、入室検知センサが検知した時点ではまだＣＤは再生されず、使用者１０が便座に座って、温水洗浄便座装置２００の着座検知センサまたは人体検知センサが検知した時点でＣＤの再生を開始させるようにしてもよい。この場合には、着座検知センサや人体検知センサからの情報に基づいてコントローラ２０２が判断し、または、これらセンサからの情報がＥＣＣに送信されてＥＣＣが判断することによって、ＣＤプレイヤー３００の再生が開始される。
【００８２】
なお、入室検知センサ４００として赤外線式焦電センサ（モーションセンサ）を用いた場合、使用者１０が便座に座って静止状態を維持すると、検知しなくなる。このような場合には、温水洗浄便座装置の着座検知センサや人体検知センサの検出結果も含めたオア（論理和）に基づき、いずれかのセンサが使用者１０を検知している間は、ＣＤプレイヤー３００の再生を継続するようにすればよい。
【００８３】
そして、図１４（ｃ）に表したように、使用者１０が便座から離れ、またはトイレから退出すると、ＣＤの再生が停止する。この場合にも、温水洗浄便座装置の着座センサ及び人体検知センサと、ＥＣＣ１００に接続された入室センサ４００の検出結果を適宜考慮して、コントローラ２０２またはＥＣＣ１００が判断することによりＣＤ再生を停止させることができる。なお、本実施例においては、一例としてＣＤプレイヤーの再生動作を挙げたが本発明はこれに限定されず、例えば、ＭＤ（mini-disc）ＤＶＤ（digital versatile disc）、半導体メモリなどの各種の媒体による音声または映像の再生、ラジオ、テレビ、その他各種のメディアの再生を制御することもできる。
【００８４】
またさらに、本発明においては、使用者１０の向きに応じて、左右に設けられたスピーカー７００からのステレオ出力を切り替えることもできる。  
図１６及び図１７は、使用者１０の向きに応じてスピーカー出力を切り替える実施例を表す模式図である。  
すなわち、図１６に表したように、使用者１０がトイレに入室し、温水洗浄便座装置２００に向かい合っている状態においては、左右に設けられた一対のスピーカーのうちスピーカー７００Ａから左音声、スピーカー７００Ｂから右音声が流れる。
【００８５】
一方、図１７に表したように、使用者１０が便座装置２００に座った状態の時には、スピーカー７００Ａから右音声、スピーカー７００Ｂから左音声が流れる。このように、使用者１０の向きに応じて、スピーカー７００Ａ、７００Ｂからの出力を切り替えると、使用者１０の向きによらず、常に自然なステレオ再生が可能となる。
【００８６】
左右音声の切替のタイミングは、センサなどにより判断することができる。例えば、入室センサ４００及び人体検知センサ４００の少なくともいずれかが使用者を検知し、着座センサ２０６が着座を検知していない時には、図１６に例示した如く使用者１０が便器に向かい合っていると判断して、スピーカー７００Ａから左音声、スピーカー７００Ｂから右音声を流す。そして、着座センサ２０６が着座を検知している時には、図１７に例示した如く、スピーカー７００Ａから右音声、スピーカー７００Ｂから左音声を流すことができる。
【００８７】
また、左右音声の切替の際には、例えば電子ボリュームと電子スイッチングとを利用することにより、音声が殆どとぎれることなく、切替のノイズも生じさせずに切り替えることが可能である。または、切り替える際に、モノラル状態すなわち左右音声を合成させた音声を左右のスピーカー７００Ａ、７００Ｂから出力させる状態を遷移して切り替えてもよい。
【００８８】
以上説明したように、センサなどからの情報に基づいて使用者１０の向きを判断し、スピーカー７００Ａ、７００Ｂからの出力を適宜切り替えることにより、常に自然なステレオ再生が可能となる。
【００８９】
またさらに、いわゆるサラウンドシステムにおいても、使用者の向きに応じてスピーカーからの出力を切り替えることができる。  
図１８及び図１９は、サラウンドシステムにおいて使用者の向きに応じてスピーカーからの出力を切り替えることを例示する模式図である。
【００９０】
すなわち、図１８に表したように、使用者１０が温水洗浄便座装置２００に向かい合った状態の場合には、スピーカー７００Ａから左前用の音声出力、スピーカー７００Ｂから右前用の音声出力、スピーカー７００Ｃから左後ろ用の音声出力、スピーカー７００Ｃから右後ろ用の音声出力をそれぞれ流す。一方、図１９に表したように、使用者１０が便座装置２００に着座した状態においては、スピーカー７００Ａから右後ろ用の音声出力、スピーカー７００Ｂから左後ろ用の音声出力、スピーカー７００Ｃから右前用の音声出力、スピーカー７００Ｄから左前用の音声出力をそれぞれ流すことができる。
【００９１】
このように、サラウンドシステムにおいても、使用者１０の向きに応じて各スピーカーからの出力を適宜切替ることにより、使用者１０に対して常に自然な音場を再現することができる。通常のトイレは、たたみ一畳程度の密閉空間であり、音響的には高い潜在性能を有する。つまり、トイレにおけるステレオ再生あるいはサラウンド再生は、定位感や周波数特性に優れ、臨場感あふれる音場を形成することが可能である。本発明によれば、このようなトイレにおける音声の再生に際して、複数のスピーカーからの出力を適宜切り替えることにより、常に自然な音場を提供することが可能となる。
【００９２】
図２０は、本実施例の変型例を表す模式図である。すなわち、本変型例においては、インターネットを介して配信される音楽（あるいは映像）を適宜再生する。また、インターネットの代わりにＬＡＮ（Local Area Network）などを介して家庭内あるいは同一のネットワーク内にあるサーバから、音楽や映像などの情報をダウンロードして再生してもよい。
【００９３】
次に、本発明の第３の実施例について説明する。  
図２１は、本発明の第３の実施例におけるシステムトイレの動作を表す模式図である。  また、図２２は、本実施例における便器の背面を表す斜視図である。  
またさらに、図２３は、本実施例におけるシステムトイレの構成を例示する模式図である。
【００９４】
本実施例においては、まず、図２１（ａ）に表したように、使用者１０がトイレに入ると、まず、ＥＣＣ１００に接続された入室検知センサ４００Ａが検知し、ＥＣＣ１００に検知情報を渡す。また、これとは別にＥＣＣ１００には、照度センサ４００Ｂが接続されている。ＥＣＣ１００は、入室検知センサ４００Ａと照度センサ４００Ｂからの情報に基づいて判断し、トイレ内の照度が一定以下である場合のみ、サブユニット（間接照明ユニット）６００に命令を出して点灯させることができる。
【００９５】
第１実施例に関して前述したように、入室検知センサ４００として赤外線式焦電センサ（モーションセンサ）を用いた場合、検出範囲を広くすることができる。つまり、図２１（ｂ）に表したように、使用者１０がトイレのドアを開けた瞬間に間接照明ユニット６００を点灯させることが可能となる。
【００９６】
また、またこの場合、間接照明ユニット６００を図２２に表したように便器の後方に設けると、点灯光は使用者１０の視線には直接入らず、便器の背面の壁面を反射した柔らかい間接光Ｌが得られる。夜中に目覚めてトイレに入る場合など、微弱な直接光でも、まぶしく感じる場合が多いが、本実施例のような間接照明効果を導入することにより、「まぶしさ」を十分に抑え、夜目にも心地よく十分な照度を得ることができる。
【００９７】
さらに、図２２に表したように便器の後方に間接照明ユニット６００を設けると、図２１（ｃ）に表したように、便座の蓋を開けた状態において、後方壁面から反射した間接光Ｌがさらに蓋の表面で反射・拡散され、いわば、「後光が差した」状態となる。そして、便座の蓋に反射された光がトイレの後方に柔らかく拡がり、非常に心地よい視覚的な効果を得ることができる。つまり、使用者１０をリラックスさせ、リラクゼーション効果を与えることもできる。これは、音楽や香りなどと組合せることによりさらに効果的となる。従って、図示しない音楽再生用のサブユニットや、アロマなどの香り成分を放出可能なサブユニットをＥＣＣ１００に適宜接続して動作させてもよい。
【００９８】
なお、間接照明ユニット６００の光源としては、例えば、白色発光型のＬＥＤ（light emitting diode）を用いると、適度な照度で、長寿命、低消費電力という特性が得られる。
【００９９】
また、図２１（ｃ）に表したように、使用者１０が便座に座って静止状態をとると、入室検知センサ４００Ａとして赤外線式焦電センサ（モーションセンサ）を用いた場合には、検知しなくなる。この場合にも、第２実施例に関して前述したように、温水洗浄便座装置の着座検知センサや人体検知センサの検出結果も含めたオア（論理和）に基づいて判断することにより、間接照明ユニット６００の点灯状態を維持できる。
【０１００】
そして、図２１（ｄ）に表したように、使用者１０が便座から離れトイレから退出すると、着座検知センサ、人体検知センサ、入室検知センサ４００Ａのいずれも検知しなくなるので、ＥＣＣ１００の判断に基づいて間接照明ユニット６００は消灯される。
【０１０１】
本発明によれば、ＥＣＣ１００を介して入室センサや照度センサ、間接照明ユニットを付加することにより、コントローラ２０２に負担をかけることなく、快適な間接照明を実現することができる。
【０１０２】
次に、本発明の第４の実施例について説明する。  
図２４は、本実施例のシステムトイレの構成を例示する模式図である。  
すなわち、本実施例においては、ＥＣＣ１００にサブユニットとして、ユビキタス受信ユニット３００が接続されている。ユビキタス受信ユニット３００は、ＣＰＵ３０２と、無線ユニット３２０と、を有し、使用者が携行している携帯電話、ＩＣカード、ＲＦＩＤ（Radio Frequency Identification）タグなどのユビキタス端末２０から無線を介して得られる情報に基づいてその使用者（所有者）を認証する。認証されたデータは、ＥＣＣ１００に送信され翻訳される。そして、翻訳された認証データがコントローラ２０２に送信される。コントローラ２０２は、この認証データに基づき、その使用者のために設定されている条件に応じた動作を実行する。例えば、洗浄水の湯温や、便座の温度、洗浄水の強さや洗浄モード、洗浄ノズルの位置などの洗浄データが使用者毎にコントローラ２０２に格納され、ＥＣＣ１００から送信された認証データに基づいて、その使用者の条件に設定した洗浄を実施することができる。
【０１０３】
また、本実施例において、ユビキタス受信ユニット３００からの認証データに基づいて、その使用者に予め設定されている音楽を再生したり、間接照明の条件を変更することもできる。またさらに、認証データに基づいて、その使用者のために設定されている株価情報をインターネットからダウンロードしてディプレイに表示したり、スピーカー７００から流すこともできる。
【０１０４】
図２５は、本実施例の変形例を表す模式図である。すなわち、本変型例においては、個人別の洗浄データは、ＥＣＣ１００に格納されている。そして、ユビキタス受信ユニット３００から送信された認証データに基づいて、ＥＣＣ１００が判断し、その使用者について設定されている洗浄条件データをコントローラ２０２に送信する。コントローラ２０２は、その洗浄条件データに基づき、洗浄水の湯温や便座の温度、洗浄水の強さなどを設定し、個人別の動作を実行する。
【０１０５】
以上、具体例を参照しつつ、本発明の実施の形態について説明した。しかし、本発明は、これらの具体例に限定されるものではない。例えば、トイレ用コントロールユニットや温水洗浄便座装置、サブユニットの具体的な構造や配置関係、接続関係、個数などについては、当業者が適宜選択することにより本発明を同様に実施し、同様の効果を得ることができるものも本発明の範囲に包含される。
【０１０６】
その他、本発明の実施の形態として上述したトイレ用コントロールユニット及びシステムトイレを基にして、当業者が適宜設計変更して実施しうるすべてのトイレ用コントロールユニット及びシステムトイレも同様に本発明の範囲に属する。
【図面の簡単な説明】
【０１０７】
【図１】本発明のトイレ用コントロールユニットを備えたシステムトイレの構成を例示するブロック図である。
【図２】本発明の実施の形態にかかるシステムトイレの具体例を表す模式図である。
【図３】センターユニット５００の外観を例示する模式図である。
【図４】温水洗浄便座装置２００のコントローラ２０２にサブユニットを直接、接続する比較例を表す模式図である。
【図５】温水洗浄便座装置におけるコントローラ２０２の役割を説明するためのブロック図である。
【図６】本発明のシステムトイレの構成を例示するブロック図である。
【図７】コントローラ２０２とＥＣＣ１００との間のデータ授受の関係の第１の具体例を表す模式図である。
【図８】コントローラ２０２とＥＣＣ１００との間のデータ授受の関係の第２の具体例を表す模式図である。
【図９】コントローラ２０２とＥＣＣ１００との間のデータ授受の関係の第３の具体例を表す模式図である。
【図１０】ＥＣＣ１００がコントローラ２０２に対して情報を要求する具体例を表す模式図である。
【図１１】ＥＣＣ１００がコントローラ２０２の動作まで制御する具体例を表す模式図である。
【図１２】本発明の第１の実施例におけるシステムトイレの動作を表す模式図である。
【図１３】第１実施例におけるシステムトイレの構成を例示する模式図である。
【図１４】本発明の第２の実施例におけるシステムトイレの動作を表す模式図である。
【図１５】第２実施例におけるシステムトイレの構成を例示する模式図である。
【図１６】使用者１０の向きに応じてスピーカー出力を切り替える実施例を表す模式図である。
【図１７】使用者１０の向きに応じてスピーカー出力を切り替える実施例を表す模式図である。
【図１８】サラウンドシステムにおいて使用者の向きに応じてスピーカーからの出力を切り替えることを例示する模式図である。
【図１９】サラウンドシステムにおいて使用者の向きに応じてスピーカーからの出力を切り替えることを例示する模式図である。
【図２０】第２実施例の変型例を表す模式図である。
【図２１】本発明の第３の実施例におけるシステムトイレの動作を表す模式図である。
【図２２】第３実施例における便器の背面を表す斜視図である。
【図２３】第３実施例におけるシステムトイレの構成を例示する模式図である。
【図２４】本発明の第４の実施例のシステムトイレの構成を例示する模式図である。
【図２５】第４実施例の変形例を表す模式図である。
【符号の説明】
【０１０８】
１０ 使用者
２０ ユビキタス端末
１００ トイレ用コントロールユニット
１０２  ＣＰＵ
１０４ メモリ
１０６ 通信インタフェース
１０８ Ｉ／Ｏユニット
１１６ アンプ
１１８ ＬＥＤドライバ
１２０ リモコン
２００ 温水洗浄便座装置
２０２ コントローラ
２０４  ＣＰＵ
２０６ 着座センサ
３００ サブユニット
３００ ＣＤプレイヤー、ユビキタス受信ユニット、音声ガイド用ユニット、
３００ 音響ユニット
３０４ ＣＤ再生ユニット
３０６ アンプ
３２０ 無線ユニット
４００ サブユニット、入室検知センサ、表示ユニット
４００Ａ 入室検知センサ
４００Ｂ 照度センサ
４０２ センサ部
４０４ 表示部
４０６ 操作部
５００ センターユニット
５０２ センサ窓
５０４ 表示部
５０６ 操作部
５０８ スロット
６００ 間接照明ユニット
７００ スピーカー
９００ キャビネット
【図１】
2005097898.tif 000004
【図２】
2005097898.tif 000005
【図３】
2005097898.tif 000006
【図４】
2005097898.tif 000007
【図５】
2005097898.tif 000008
【図６】
2005097898.tif 000009
【図７】
2005097898.tif 000010
【図８】
2005097898.tif 000011
【図９】
2005097898.tif 000012
【図１０】
2005097898.tif 000013
【図１１】
2005097898.tif 000014
【図１２】
2005097898.tif 000015
【図１３】
2005097898.tif 000016
【図１４】
2005097898.tif 000017
【図１５】
2005097898.tif 000018
【図１６】
2005097898.tif 000019
【図１７】
2005097898.tif 000020
【図１８】
2005097898.tif 000021
【図１９】
2005097898.tif 000022
【図２０】
2005097898.tif 000023
【図２１】
2005097898.tif 000024
【図２２】
2005097898.tif 000025
【図２３】
2005097898.tif 000026
【図２４】
2005097898.tif 000027
【図２５】
2005097898.tif 000028